(57)【要約】【課題】工程数が少なく、人の介在を最小限に抑えて製造時間およびコストの削減が可能なカレンダー製造方法及びカレンダーを提供する。【解決手段】輪転機で印刷したカレンダーの表紙２及び各頁５の巻取り１１〜１７をロールコレーターにセットする。輪転機で印刷した台紙３に卓上用支持部４の切込み２９、折ミシン３０を加工し、蛇腹状に折ってロールコレーターにセットする。台紙３５の地側に糊１９のパターンを塗布システム、台紙３を形成し、台紙３の糊付け部９にライングリュー糊２０ａを塗布し、巻取り１７から繰り出された最終頁を丁合いし台紙３と接着する。ライングリュー糊の塗布２０ｂ〜２０ｇと巻取り１６〜１１から繰り出されるカレンダーの各頁の丁合いと接着を繰り返して、カレンダーの頁を形成したうえ、活版印刷機２１で多品種少量の印刷内容を印刷し、ミシン胴２２でシートカットした後、断裁機で断裁してカレンダー本体１０を製造する。【選択図】図１
2014237269.tif 000002
【特許請求の範囲】
【請求項１】
カレンダーを構成する複数の頁を、それぞれ、輪転機により印刷し、前記複数の頁に対応する複数の印刷済み巻取りロールを生成する印刷工程と、
前記複数の印刷済み巻取りロールを、前記カレンダーの後ろの頁に対応する前記印刷済み巻取りロールから順にロールコレーターに配置し、前記カレンダーの後ろの頁に対応する前記印刷済み巻取りロールから順に前記カレンダーの頁が丁合いされる毎に、前記カレンダーの頁上面の上辺を含む糊付け領域に糊を塗布し、次の前記印刷済み巻取りロールから丁合いされる次の前記カレンダーの頁下面の上辺を含む矩形領域と接着する丁合い糊付け工程と、
を含むことを特徴とするカレンダー製造方法。
【請求項２】
前記印刷工程は、前記カレンダーの頁の上辺が、前記印刷済み巻取りロールの長手方向の一方の縁と平行になるように印刷する
ことを特徴とする請求項１に記載のカレンダー製造方法。
【請求項３】
前記印刷工程は、前記カレンダーの頁を切り取るミシン目を、前記印刷済み巻取りロールの長手方向と平行に形成する
ことを特徴とする請求項１または請求項２に記載のカレンダー製造方法。
【請求項４】
前記カレンダーの台紙への印刷を前記輪転機により印刷し、台紙を作成する台紙作成工程を更に含み、
前記丁合い糊付け工程は、更に、前記ロールコレーターの、前記カレンダーの最終頁に対応する前記印刷済み巻取りロールより前の位置に前記台紙を配置し、前記台紙の上面の上辺を含む糊付け領域に糊を塗布する
ことを特徴とする請求項１乃至請求項３のいずれかに記載のカレンダー製造方法。
【請求項５】
前記台紙作成工程は、前記台紙に、前記カレンダーを卓上に支持するための脚部を構成するための切込み及び折ミシンを形成する
ことを特徴とする請求項４に記載のカレンダー製造方法。
【請求項６】
前記丁合い糊付け工程により丁合いされ接着された前記カレンダーの最上頁に活版印刷を施す活版印刷工程を更に含む
ことを特徴とする請求項１乃至請求項５のいずれかに記載のカレンダー製造方法。
【請求項７】
カレンダーを構成する複数の頁を、それぞれ、輪転機により印刷し、前記複数の頁に対応する複数の印刷済み巻取りロールを生成する印刷工程と、
前記複数の印刷済み巻取りロールを、前記カレンダーの後ろの頁に対応する前記印刷済み巻取りロールから順にロールコレーターに配置し、前記カレンダーの後ろの頁に対応する前記印刷済み巻取りロールから順に前記カレンダーの頁が丁合いされる毎に、前記カレンダーの頁上面の上辺を含む糊付け領域に糊を塗布し、次の前記印刷済み巻取りロールから丁合いされる次の前記カレンダーの頁下面の上辺を含む矩形領域と接着する丁合い糊付け工程と、
を実行して製造されることを特徴とするカレンダー。
【請求項８】
前記カレンダーの台紙への印刷を前記輪転機により印刷し、前記印刷済みの台紙に、前記カレンダーを卓上に支持するための脚部を構成するための切込み及び折ミシンを形成する台紙作成工程を更に実行し、
前記丁合い糊付け工程は、更に、前記ロールコレーターの、前記カレンダーの最終頁に対応する前記印刷済み巻取りロールより前の位置に前記台紙を配置し、前記台紙の上面の上辺を含む糊付け領域に糊を塗布し、前記ロールコレーターにより前記台紙と前記カレンダーの複数の頁を接着する工程を含む
ことを特徴とする請求項７に記載のカレンダー。
【発明の詳細な説明】
【技術分野】
【０００１】
本発明は、カレンダー製造方法に係り、更に詳しくは、ロールコレーターによる工数を削減可能なカレンダー製造方法等に関する。
【背景技術】
【０００２】
従来、卓上カレンダー又は吊りカレンダーとして、卓上への載置を可能にする脚部を形成可能な台紙に、複数のカレンダー中紙及び表紙を接着して製造するカレンダーが提案されている（例えば、特許文献１）
【０００３】
図６は、従来の卓上カレンダーの製造方法を説明する図である。
まず、図６（ａ）に示すように、カレンダーの各頁の印刷を行う（ステップ１）。
通常、図６（ａ−１）に示すように、１枚の用紙に各頁が多面付けで印刷され、印刷済みの同一の頁の用紙が図６（ａ−２）に示すように、パレット等の上に載積される。
【０００４】
カレンダーの各頁に１月のカレンダーが印刷される場合は、図６（ａ）に示すように、表紙及び１〜１２月のカレンダー中紙の計１３通りの印刷済み用紙がパレットに載積される。
【０００５】
次に、図６（ｂ）に示すように、１３台のパレットから印刷済み用紙を１枚ずつ取出し、重ねる丁合い処理が行なわれる（ステップ２）。
丁合い作業は人手又は機械で行うが、機械で行う場合にも、ズレがないか等の品質管理を人手で行う必要がある。
表紙〜１２月分までの１３枚を一組として複数の組がパレット等に載置される。
【０００６】
次に、図６（ｃ）に示すように、ステップ２で丁合い済みの複数組を断裁する（ステップ３）。すなわち、４面付け印刷の場合、４つに断裁される。
断裁処理は人手又は機械で行うが、機械で行う場合にも、ズレや裁断ミスの有無のチェック等を人手で行う必要がある。
【０００７】
次に、図６（ｄ）に示すように、ステップ３で断裁された１３枚１セットのカレンダーの背に糊を塗布し、背固めを人手で行う（ステップ４）。
【０００８】
ステップ４で背固めされた各セットのカレンダーについて、次に、図６（ｅ）に示すように、製本処理を行う（ステップ５）。
図６（ｅ）は、製本処理の説明図であり、図６（ｅ−１）は、製本済みカレンダーの斜視図、図６（ｅ−２）は、図６（ｅ−１）のＺ方向俯瞰図であり、図６（ｅ−３）は、図６（ｅ−１）のＹ−Ｙ’断面図である。
【０００９】
製本処理は複数工程から成り、まず、図６（ｅ−２）、図６（ｅ−３）に示すように、台紙上に背固めされた１３枚１セットのカレンダーを載置し、その上辺近辺に、台紙と１３枚の中紙を貫通する接着用の切り欠き穴を複数設ける（ホットメルト５４用）。
次に、図５（ｅ−１）及び（ｅ−３）に示すように、表紙及び１〜１２月のカレンダー用紙を切り取り可能にするミシン目５２をミシン罫カッター等により設ける。
【００１０】
次に、図６（ｅ−２）に示すように、紙短冊５３の上に切り欠き穴が設けられた台紙及び１３枚１セットのカレンダーを、台紙に設けられた切り欠き穴が隠れるように配置して接着し、更に、先に設けた複数の切り欠き穴に接着剤を流し込んで、台紙と１３枚のそれぞれの用紙を接着する（ホットメルト５４）。
最後に、紙短冊５３で台紙及び１３枚１セットのカレンダーの背をくるみ、紙短冊５３の上部の長辺がミシン目５３を覆わず、かつ、ホットメルト５４を覆うように接着する。
【先行技術文献】
【特許文献】
【００１１】
【特許文献１】特開２００８−１６２２００号公報
【発明の概要】
【発明が解決しようとする課題】
【００１２】
しかしながら、引用文献１のような従来のカレンダー製造方法は、工程が多いという問題がある。また、各ステップの処理が手作業で行われたり、また、品質管理チェック等に人の介在が必要であり、製造時間およびコストを要するという問題がある。
【００１３】
本発明は、前述した問題点に鑑みてなされたものであり、その目的とするところは、工程数が少なく、人の介在を最小限に抑えて製造時間およびコストの削減が可能なカレンダー製造方法及びカレンダーを提供することである。
【課題を解決するための手段】
【００１４】
前述した目的を達成するために、第１の発明は、カレンダーを構成する複数の頁を、それぞれ、輪転機により印刷し、前記複数の頁に対応する複数の印刷済み巻取りロールを生成する印刷工程と、前記複数の印刷済み巻取りロールを、前記カレンダーの後ろの頁に対応する前記印刷済み巻取りロールから順にロールコレーターに配置し、前記カレンダーの後ろの頁に対応する前記印刷済み巻取りロールから順に前記カレンダーの頁が丁合いされる毎に、前記カレンダーの頁上面の上辺を含む糊付け領域に糊を塗布し、次の前記印刷済み巻取りロールから丁合いされる次の前記カレンダーの頁下面の上辺を含む矩形領域と接着する丁合い糊付け工程と、を含むことを特徴とするカレンダー製造方法である。
【００１５】
第１の発明により、輪転機で印刷されたカレンダーの各頁に対応する印刷済み巻取りロールをロールコレーターに順にセットすることにより、バーコードチェックを行い乱丁の発生防止を管理することが可能になり、人手を介することなく、カレンダーを製造することが可能になる。
これにより、工数が減り、また、ヒューマンエラーが減少し、リードタイムが短縮されるとともに、コストを削減し、低価格なカレンダーを製造することが可能になる。
【００１６】
前記印刷工程は、前記カレンダーの頁の上辺が、前記印刷済み巻取りロールの長手方向の一方の縁と平行になるように印刷することが望ましい。
また、前記印刷工程は、前記カレンダーの頁を切り取るミシン目を、前記印刷済み巻取りロールの長手方向と平行に形成することが望ましい。
【００１７】
前記カレンダーの頁の上辺が、前記印刷済み巻取りロールの長手方向の一方の縁と平行になるように印刷することにより、ミシン目の形成、及び、丁合い糊付け工程による糊付けの装置を簡易に構成することが可能である。
【００１８】
前記カレンダーの台紙への印刷を前記輪転機により印刷し、台紙を作成する台紙作成工程を更に含み、前記丁合い糊付け工程は、更に、前記ロールコレーターの、前記カレンダーの最終頁に対応する前記印刷済み巻取りロールより前の位置に前記台紙を配置し、前記台紙の上面の上辺を含む糊付け領域に糊を塗布することが望ましい。
【００１９】
また、前記台紙作成工程は、前記台紙に、前記カレンダーを卓上に支持するための脚部を構成するための切込み及び折ミシンを形成することが望ましい。
これにより、卓上に載置可能なカレンダーを人手を介することなく、安価に製造することが可能になる。
【００２０】
前記丁合い糊付け工程により丁合いされ接着された前記カレンダーの最上頁に活版印刷を施す活版印刷工程を更に含むことが望ましい。
これにより、輪転機によるカレンダー印刷では印刷できない、少量多品種の印刷、例えば、営業所名や支店名の印刷等がインラインで可能になる。
【００２１】
第２の発明は、カレンダーを構成する複数の頁を、それぞれ、輪転機により印刷し、前記複数の頁に対応する複数の印刷済み巻取りロールを生成する印刷工程と、前記複数の印刷済み巻取りロールを、前記カレンダーの後ろの頁に対応する前記印刷済み巻取りロールから順にロールコレーターに配置し、前記カレンダーの後ろの頁に対応する前記印刷済み巻取りロールから順に前記カレンダーの頁が丁合いされる毎に、前記カレンダーの頁上面の上辺を含む糊付け領域に糊を塗布し、次の前記印刷済み巻取りロールから丁合いされる次の前記カレンダーの頁下面の上辺を含む矩形領域と接着する丁合い糊付け工程と、を実行して製造されることを特徴とするカレンダーである。
【００２２】
前記カレンダーの台紙への印刷を前記輪転機により印刷し、前記印刷済みの台紙に、前記カレンダーを卓上に支持するための脚部を構成するための切込み及び折ミシンを形成する台紙作成工程を更に実行し、前記丁合い糊付け工程は、更に、前記ロールコレーターの、前記カレンダーの最終頁に対応する前記印刷済み巻取りロールより前の位置に前記台紙を配置し、前記台紙の上面の上辺を含む糊付け領域に糊を塗布し、前記ロールコレーターにより前記台紙と前記カレンダーの複数の頁を接着する工程を含むカレンダーであることが望ましい。
【００２３】
以上のように、本発明のカレンダー製造方法等は、輪転機でカレンダーの各頁及び台紙の印刷を行い、ロールコレーターに各頁の巻取りロールを順にセットし、丁合いとともに糊付けを行うことが可能になり、人手、工程数、ヒューマンエラー、リードタイム、コストを削減し、安価にカレンダーを製造することを可能にする。
【発明の効果】
【００２４】
本発明により、工程数が少なく、人の介在を最小限に抑えて製造時間およびコストの削減が可能なカレンダー製造方法及びカレンダーを提供することが可能になる。
【図面の簡単な説明】
【００２５】
【図１】本発明の実施の形態に係るカレンダー製造工程１を説明する図
【図２】カレンダー製造工程１の処理の流れを示すフローチャート
【図３】カレンダー完成品１０の概略を示す斜視図
【図４】印刷工程Ｓ１０１を説明する図
【図５】台紙作成工程Ｓ１０２を説明する図
【図６】従来の卓上カレンダーの製造方法を説明する図
【発明を実施するための形態】
【００２６】
以下、添付図面に基づいて、本発明の実施の形態に係るカレンダー製造方法及びカレンダーの好適な実施形態について詳細に説明する。
【００２７】
図１は、本発明の実施の形態に係るカレンダー製造工程１を説明する図、図２は、カレンダー製造工程１の処理の流れを示すフローチャート、図３は、カレンダー完成品１０を説明する図である。
【００２８】
本実施の形態のカレンダー製造工程１は、カレンダーの各頁に２ケ月分のカレンダーが印刷されるものとするが、各頁に何ヶ月分のカレンダーを印刷するようにしてもよい。また、各頁一月でもよい。それによって、図１に示す巻取り１１〜１７の数が変わることになる。
【００２９】
図２に示すように、まず、輪転機等（図示しない）によりカレンダーの各頁を印刷する（印刷工程：ステップ１０１）。
本発明の実施の形態のカレンダー製造方法は、ロールコレーターを使用して連続的に複数のカレンダーを、人手を介さず製造するものであり、カレンダーの各頁は、巻取り印刷用紙に連続的に複数ページ印刷される。
【００３０】
図４は、印刷工程（ステップ１０１）により生成される巻取り１１〜１７、２４を説明する図である。
図４（ａ）に示すように、カレンダーの各頁に２ケ月分のカレンダーを印刷する場合、印刷工程（ステップ１０１）により、表紙及びカレンダーの各頁に対応して、巻取り１（表紙）１１、巻取り２（１、２月）１２、巻取り３（３、４月）１３、巻取り４（５、６月）１４、巻取り５（７、８月）１５、巻取り６（９、１０月）１６、巻取り７（１１、１２月）１７の計７個の巻取り１１〜１７が生成される。
図４（ａ）では、巻取り８（台紙）２４があるが、台紙については後述する。
【００３１】
図４（ｂ）は、巻取り１〜７（１１〜１７）の印刷例として、巻取り４（５、６月）１４の印刷例、構成例を示している。
巻取り４（５、６月）１４は、５月及び６月のカレンダーを１頁分のセット２５として、複数のセット２５が、巻取り４（５、６月）１４の流れ方向である長手方向に沿って複数印刷され、ロール状に巻かれたものである。
【００３２】
カレンダーの頁の上部及び下部の辺が巻取り４（５、６月）１４の流れ方向に平行に印刷される。
また、印刷工程（ステップ１０１）により、カレンダーの頁を切り離すためのミシン加工８と、ロールコレーターに巻取り１１〜１７をセットして印刷物を移動させるための送り孔２６が、それぞれ、巻取り１１〜１７の流れ方向に平行に形成させる。
【００３３】
巻取り１４と同様に、巻取り１（表紙）１１には、カレンダーの表紙が輪転機により印刷され、また、ミシン加工８と送り孔２６が形成される。
また、カレンダーの他の頁に相当する巻取り２（１、２月）１２、巻取り３（３、４月）１３、巻取り５（７、８月）１５、巻取り６（９、１０月）１６、巻取り７（１１、１２月）１７も、巻取り４（５、６月）１４と同様に、各２ケ月分のカレンダーが印刷され、ミシン加工８と送り孔２６が形成される。
【００３４】
図２に示すように、次に、台紙を作成する台紙作成工程が実行される（ステップ１０２）。
図３のカレンダー完成品１０により台紙について説明する。
【００３５】
図３に示すように、カレンダー完成品１０は、表紙２と、６頁のカレンダー頁５、台紙３が糊付け部９で接着されて構成される。
表紙２には、ミシン加工８、活版印刷６、吊下げ用穴７等が形成される。
活版印刷５、吊下げ用穴７については後述する。
また、カレンダー頁５にも、ミシン加工８が形成される（図示しない）。
【００３６】
台紙３は、カレンダー頁５の最終頁に接着される。また、台紙３の一部に後述の加工を施すことにより、卓上用支持部４を形成することが可能である。卓上用支持部４により、カレンダー完成品１０を卓上等の平面上に立てて設置することが可能になる。
【００３７】
図５は、台紙作成工程（ステップ１０２）を説明する図である。
輪転機（図示しない）により、台紙３にも何らかの印刷（図５（ｂ）印刷部３４）を施すようにしてもよい。これにより、図４（ａ）、図５（ａ）に示すように、台紙３は、巻取り８（台紙）２４として得られる。
図５（ｂ）に示すように、印刷の工程で、巻取り８（台紙）２４の幅の両側の端近傍に、流れ方向と平行に送り孔２６が形成される。
【００３８】
図５（ｂ）に示すように、台紙３の巻取り８は、流れ方向に複数の台紙３が連続的につながって構成される。各台紙３には卓上用支持部４が形成される。
【００３９】
図５（ａ）に示すように、巻取り８（台紙）２４から送り孔２６により繰り出された台紙３は、ピナクルダイ２７に入り、卓上用支持部４の切込み２９が形成され（抜き加工工程Ｓ１０２−１）、更に、ミシン胴２８に入り、折ミシン３０が形成され（折ミシン加工工程Ｓ１０２−２）、山折り３１及び谷折り３２で交互に蛇腹状に折られて段ボール箱等に排出される（台紙（折り出し）１８）。
【００４０】
卓上用支持部４の切込み２９を切って折ミシン３０で折って嵌め込むことにより図３のような卓上用支持部４を形成することができる。
以上の工程により、台紙作成工程（ステップ１０２）が完了する。
【００４１】
次に、図２に戻り、ステップ１０３以降の工程を実行する。
ステップ１０３〜ステップ１０６の処理は、ロールコレーターにより処理される。
【００４２】
まず、図１に示すように、ロールコレーターに印刷工程（ステップ１０１）により印刷が施された巻取り１〜７（１１〜１７）がセットされるとともに、台紙作成工程（ステップ１０２）により作成された台紙（折り出し）１８がセットされる。
【００４３】
図１に示すように、ロールコレーターは、進行方向Ａに沿って、台紙地側糊付け工程（ステップ１０３）、カレンダー丁合糊付け工程（ステップ１０４）を進める。
すなわち、まず、台紙（折り出し１８）から台紙３５が繰り出され、台紙３５の天地に糊１９が塗布され、貼り合わされる。
【００４４】
貼り合わされた台紙３は、ロールコレーターを進み、ライングリュー糊２０ａが台紙３の上部の糊付け部９に位置する部分に塗布される。ライングリュー糊２０は、ロールコレーターを台紙３が進むことにより、糊付け部９の所定の幅（例えば１ｃｍ）に塗布される。
台紙３の糊付け部９に糊が塗布されると、次に、カレンダーの最終頁である１１月と１２月が印刷された巻取り７（１１、１２月）１７からカレンダー１頁分が繰り出され、台紙３と丁合いされたうえ糊付け部９で接着される。
【００４５】
台紙３及び各カレンダーの頁の丁合いの位置合わせは、送り孔２６を合わせることによりロールコレーターが自動的に調整する。
【００４６】
台紙３と最終頁（１１月、１２月）が接着されると、次に、最終頁（１１月、１２月）上の糊付け部９にライングリュー糊２０ｂが塗布され、９月１０月の巻取り６（９、１０月）１６から繰り出されたカレンダーの頁が丁合いされ、たうえ糊付け部９で接着される。
【００４７】
上記のカレンダー丁合糊付け工程（ステップ１０４）が表紙の頁まで繰り返されることにより、表紙を含む７頁と台紙３から成るカレンダー１０が形成される。
しかしながら、この時点では、送り孔２６等の余分な部分も含まれたものである。
【００４８】
カレンダー丁合糊付け工程（ステップ１０４）の完了後、活版印刷機２１により活版印刷工程（ステップ１０５）を実行する。
活版印刷工程（ステップ１０５）は、図３の活版印刷６に示す営業所名（「ａｂ営業所」）のように、輪転機によるカレンダー頁の印刷では不可能な多品種少量の印刷を施すことが可能である。
【００４９】
活版印刷工程（ステップ１０５）の後、シートカット及び送り孔のサイドトリム加工工程（ステップ１０６）が実行される。
シートカット及び送り孔サイドトリム加工工程（ステップ１０６）では、丁合い、接着された連続的につながった複数のカレンダーを、サイドトリムにて送り孔を切り落としつつ、ミシン胴２２に順次送り出し、ミシン胴２２により進行方向Ａと垂直に切断し、シートカット製品２３とする。
【００５０】
シートカット及び送り孔のサイドトリム加工工程（ステップ１０６）までの工程（ステップ１０３〜１０６）をロールコレーターで処理した、余分な部分を含むシートカット製品２３は、段ボール箱等に積載され、その後、断裁機（図示せず）に運ばれて余分な部分を断裁され個々のカレンダー本体１０となる（断裁・穴あけ工程（ステップ１０７））。また、吊下げ用穴７の抜き加工を行ってカレンダーを壁等に吊下げられるようにしてもよい。
【００５１】
以上に説明したように、本発明の実施の形態に係るカレンダー製造方法により、人手、工程数、ヒューマンエラー、リードタイム、コストを削減し、安価にカレンダーを製造することを可能になる。
【００５２】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５３】
１………カレンダー製造方法
２………表紙
３………台紙
４………卓上用支持部
５………カレンダー頁
６………活版印刷
７………吊下げ用穴
８………ミシン加工
９………糊付け部
１０………カレンダー完成品
１１、１２、１３、１４、１５、１６、１７、２４………巻取り１〜８
１８………台紙（折り出し）
１９………糊
２０………ライングリュー糊
２１………活版印刷機
２２、２８………ミシン胴
２３………シートカット製品
２５………カレンダー１頁分
２６………送り孔
２７………ピナクルダイ
２９………切込み
３０………折ミシン
３１………山折り
３２………谷折り
３５………台紙１セット
【図１】
2014237269.tif 000003
【図２】
2014237269.tif 000004
【図３】
2014237269.tif 000005
【図４】
2014237269.tif 000006
【図５】
2014237269.tif 000007
【図６】
2014237269.tif 000008